(57)【要約】【課題】清掃対象部位や口腔内の状態に合わせて、口腔内を適切に清掃できる歯ブラシを提供する。【解決手段】歯ブラシ１０のヘッド部１４の植毛面１５に着脱自在に装着され、毛束１６の高さを調節することよりなる。前記植毛面１５に装着された際に、前記毛束１６が貫通する貫通孔２４が形成され、該貫通孔２４の開口面の周縁２５が前記毛束１６の側面に接することが好ましく、前記植毛面１５上をスライドされて前記植毛面１５に装着されてもよく、前記植毛面１５上をスライドされて前記植毛面１５に装着され、前記貫通孔２４は、２つ以上形成され、前記のスライドされる方向に伸び、前記貫通孔２４同士を連通するスリット部３２が形成されていることが好ましい。【選択図】図１
2013202341.tif 000002
【特許請求の範囲】
【請求項１】
歯ブラシのヘッド部の植毛面に着脱自在に装着され、毛束の高さを調節することを特徴とする歯ブラシ用の毛腰調節部材。
【請求項２】
前記植毛面に装着された際に、前記毛束が貫通する貫通孔が形成され、該貫通孔の開口面の周縁が前記毛束の側面に接することを特徴とする請求項１に記載の歯ブラシ用の毛腰調節部材。
【請求項３】
前記植毛面上をスライドされて前記植毛面に装着されることを特徴とする請求項１又は２に記載の歯ブラシ用の毛腰調節部材。
【請求項４】
前記植毛面上をスライドされて前記植毛面に装着され、
前記貫通孔は、２つ以上形成され、
前記のスライドされる方向に伸び、前記貫通孔同士を連通するスリット部が形成されていることを特徴とする請求項２に記載の歯ブラシ用の毛腰調節部材。
【請求項５】
請求項１〜４のいずれか１項に記載の歯ブラシ用の毛腰調節部材が設けられたことを特徴とする毛腰調節部材付き歯ブラシ。
【請求項６】
請求項３又は４に記載の歯ブラシ用の毛腰調節部材が設けられた毛腰調節部材付き歯ブラシであって、
前記ヘッド部には前記のスライドされる方向に伸びる凹条が形成され、前記毛腰調節部材には前記凹条の形状に応じた凸条が形成されているか、又は、前記ヘッド部には前記のスライドされる方向に伸びる凸条が形成され、前記毛腰調節部材には前記凸条の形状に応じた凹条が形成されていることを特徴とする毛腰調節部材付き歯ブラシ。
【発明の詳細な説明】
【技術分野】
【０００１】
本発明は、歯ブラシ用の毛腰調節部材及び毛腰調節部材付き歯ブラシに関する。
【背景技術】
【０００２】
歯ブラシの毛腰硬さは、家庭用品品質表示法により規定された「かため」「ふつう」「やわらかめ」の３種類に分類されている。そして、使用者は自らの嗜好性、口腔内の状態に合わせ好みの毛腰硬さの歯ブラシを購入し、口腔内を洗浄している。
一般に、歯面、咬合面を清掃するには、より高い刷掃力を有する「かため」の歯ブラシが適しており、歯頸部、歯間部等の狭小部を清掃するには、用毛が撓みやすい「やわらかめ」の歯ブラシが適しているとされる。
また、歯周病罹患者は清掃時に生じる痛みを軽減させるため、「やわらかめ」の歯ブラシを好んで使用する傾向があるが、症状が改善した場合には、より刷掃力の高い「かため」の歯ブラシを用いて、口腔内を清掃する必要が生じる。
【０００３】
このように、口腔内を適切に清掃するには、清掃対象部位や口腔内の状態に合わせて、適切な毛腰硬さの歯ブラシを用いることが必要であり、毛腰硬さの異なる複数種の歯ブラシを使い分けることが有効とされる。
しかし、一回の清掃時に、複数種の歯ブラシを使い分けることは、歯磨剤をつける、使用後のハブラシを洗う等の各作業において手間がかかり煩雑である。加えて、口腔内を清掃する都度、口腔内の状態に合った毛腰硬さの歯ブラシを用いるためには、複数種の歯ブラシを準備しておかなければならないという問題がある。
【０００４】
従来、太さ１２０μｍ以下のブリッスルを束ねたブリッスル束が植毛台に複数植設された歯ブラシにおいて、各ブリッスル束は、その先端部分を除く部位が前記植毛台から突出配置された弾性筒状体に挿通されて当該弾性筒状体によって周囲を覆われた状態で植設されている歯ブラシが提案されている（例えば、特許文献１）。特許文献１の発明によれば、細いブリッスルによって柔らかい感触で清掃できると共に、弾性筒状体によって適度な毛腰硬さで清掃することが図られている。
【先行技術文献】
【特許文献】
【０００５】
【特許文献１】特開２００２−３４５５６０号公報
【発明の概要】
【発明が解決しようとする課題】
【０００６】
しかしながら、特許文献１の発明では、当たり心地の柔らかさを高められるものの、毛腰硬さは任意のものであるため、清掃対象部位や口腔内の状態に合わせて、適切な毛腰硬さの歯ブラシを選択する必要がある。即ち、特許文献１の発明では、清掃時に複数種の歯ブラシを使い分けることの煩雑さが解消されない。
そこで、本発明は、清掃対象部位や口腔内の状態に合わせて、口腔内を適切に清掃できる毛腰調節部材付き歯ブラシを目的とする。
【課題を解決するための手段】
【０００７】
本発明の歯ブラシ用の毛腰調節部材は、歯ブラシのヘッド部の植毛面に着脱自在に装着され、毛束の高さを調節することを特徴とする。
前記植毛面に装着された際に、前記毛束が貫通する貫通孔が形成され、該貫通孔の開口面の周縁が前記毛束の側面に接することが好ましく、前記植毛面上をスライドされて前記植毛面に装着されてもよく、前記植毛面上をスライドされて前記植毛面に装着され、前記貫通孔は、２つ以上形成され、前記のスライドされる方向に伸び、前記貫通孔同士を連通するスリット部が形成されていることが好ましい。
【０００８】
本発明の毛腰調節部材付き歯ブラシは、前記の本発明の歯ブラシ用の毛腰調節部材が設けられたことを特徴とする。
前記ヘッド部には前記のスライドされる方向に伸びる凹条が形成され、前記毛腰調節部材には前記凹条の形状に応じた凸条が形成されているか、又は、前記ヘッド部には前記のスライドされる方向に伸びる凸条が形成され、前記毛腰調節部材には前記凸条の形状に応じた凹条が形成されていることが好ましい。
【発明の効果】
【０００９】
本発明の歯ブラシ用の毛腰調節部材は、歯ブラシのヘッド部の植毛面に着脱自在に装着され、毛束の高さを調節できるため、歯ブラシの毛腰硬さを調節できる。このため、歯ブラシを、清掃対象部位や口腔内の状態に合わせて、口腔内を適切に清掃できるものに調節できる。
本発明の歯ブラシ用の毛腰調節部材によれば、前記植毛面に装着された際に、前記毛束が貫通する貫通孔が形成され、該貫通孔の開口面の周縁が前記毛束の側面に接するため、より適切に毛腰硬さを調節できる。
本発明の歯ブラシ用の毛腰調節部材によれば、前記植毛面上をスライドされて前記植毛面に装着されるため、容易に植毛面に装着できる。
本発明の歯ブラシ用の毛腰調節部材によれば、前記植毛面上をスライドされて前記植毛面に装着され、前記貫通孔は、２つ以上形成され、前記のスライドされる方向に伸び、前記貫通孔同士を連通するスリット部が形成されているため、より容易に植毛面に装着できる。
【００１０】
本発明の毛腰調節部材付き歯ブラシは、前記の本発明の歯ブラシ用の毛腰調節部材が設けられているため、清掃対象部位や口腔内の状態に合わせて、口腔内を適切に清掃できる。
本発明の毛腰調節部材付き歯ブラシによれば、前記ヘッド部には前記のスライドされる方向に伸びる凹条が形成され、前記毛腰調節部材には前記凹条の形状に応じた凸条が形成されているか、又は、前記ヘッド部には前記のスライドされる方向に伸びる凸条が形成され、前記毛腰調節部材には前記凸条の形状に応じた凹条が形成されているため、毛腰調節部材の装着状態をより安定させられる。
【図面の簡単な説明】
【００１１】
【図１】（ａ）本発明の第一の実施形態にかかる毛腰調節部材付き歯ブラシの平面図である。（ｂ）図１（ａ）のＢ１−Ｂ１断面図である。（ｃ）図１（ａ）のＣ１−Ｃ１断面図である。
【図２】（ａ）図１の毛腰調節部材付き歯ブラシに用いられる毛腰調節部材の平面図である。（ｂ）図２（ａ）のＢ２−Ｂ２断面図である。（ｃ）図２（ａ）のＣ２−Ｃ２断面図である。
【図３】（ａ）本発明の第二の実施形態にかかる毛腰調節部材付き歯ブラシの平面図である。（ｂ）図３（ａ）のＢ３−Ｂ３断面図である。（ｃ）図３（ａ）のＣ３−Ｃ３断面図である。
【図４】（ａ）図３の毛腰調節部材付き歯ブラシに用いられる毛腰調節部材の平面図である。（ｂ）図４（ａ）のＢ４−Ｂ４断面図である。（ｃ）図４（ａ）のＣ４−Ｃ４断面図である。
【図５】（ａ）本発明の第三の実施形態にかかる毛腰調節部材付き歯ブラシの平面図である。（ｂ）図５（ａ）のＢ５−Ｂ５断面図である。（ｃ）図５（ａ）のＣ５−Ｃ５断面図である。
【図６】（ａ）本発明の一実施形態にかかる毛腰調節部材付き歯ブラシの平面図である。（ｂ）図６（ａ）のＢ６−Ｂ６断面図である。（ｃ）図６（ａ）のＣ６−Ｃ６断面図である。
【図７】（ａ）図６の毛腰調節部材付き歯ブラシに用いられる毛腰調節部材の平面図である。（ｂ）図７（ａ）のＢ７−Ｂ７断面図である。（ｃ）図７（ａ）のＣ７−Ｃ７断面図である。
【図８】（ａ）本発明の一実施形態にかかる毛腰調節部材付き歯ブラシの平面図である。（ｂ）図８（ａ）のＢ８−Ｂ８断面図である。（ｃ）図８（ａ）のＣ８−Ｃ８断面図である。
【図９】（ａ）図８の毛腰調節部材付き歯ブラシに用いられる毛腰調節部材の平面図である。（ｂ）図９（ａ）のＢ９−Ｂ９断面図である。（ｃ）図９（ａ）のＣ９−Ｃ９断面図である。
【図１０】本発明の一実施形態にかかる毛腰調節部材付き歯ブラシの平面図である。
【発明を実施するための形態】
【００１２】
（第一の実施形態）
本発明の第一の実施形態にかかる毛腰調節部材付き歯ブラシについて、以下に図１〜２を参照して説明する。
図１の毛腰調節部材付き歯ブラシ１は、歯ブラシ１０と、歯ブラシ用の毛腰調節部材（以下、単に毛腰調節部材ということがある）２０とを備えるものである。
【００１３】
歯ブラシ１０は、長尺状のハンドル部１２とハンドル部１２の先端に設けられたヘッド部１４とが一体成形されたハンドル体と、ヘッド部１４の植毛面１５に植設された複数の毛束１６とを備えるものである。
【００１４】
本実施形態においてヘッド部１４は、ハンドル体の延在方向を長手とする平面視長方形とされている。長方形とは、四隅に曲線や直線で隅切が形成された形状を含む概念である。植毛面１５には、複数の用毛を束ねた１８本の毛束１６が６行（ヘッド部の長さ方向）３列（ヘッド部の幅方向）の碁盤目状に植設されている。
【００１５】
図１〜２に示すように、毛腰調節部材２０は、植毛面１５を覆う天壁部２２と、ヘッド部１４における植毛面１５と反対側の面（背面）を覆う底壁部２８と、ヘッド部１４の先端を覆い天壁部２２と底壁部２８とに接続された先端壁部２６と、ヘッド部１４の幅方向の面（側面）を覆い天壁部２２と底壁部２８とに接続された一対の側壁部３０とが一体成形されたものであり、全体として、略直方体の筐体とされたものである。毛腰調節部材２０には、開口部２１が形成され、この開口部２１は、ヘッド部１４が出し入れ可能な大きさとされる。
【００１６】
天壁部２２には、毛束１６が貫通する貫通孔２４が形成されている。本実施形態においては、貫通孔２４の数は、毛束１６の数と同じとされ、貫通孔２４は毛束１６の断面と略相似形とされている。
天壁部２２には、開口部２１を始端とし、列方向に並んだ貫通孔２４を順じ連通するスリット部３２が形成されている。スリット部３２が形成されていることで、毛腰調節部材２０をＸ方向（即ち、ヘッド部１４の長さ方向）にスライドさせて、植毛面１５に装着できる。即ち、スリット部３２は、毛腰調節部材２０を植毛面１５に装着する際のスライド方向に伸びるものである。
【００１７】
ハンドル体の材質は、毛腰調節部材付き歯ブラシ１に求められる剛性や機械特性等を勘案して決定され、例えば、曲げ弾性率（ＪＩＳ  Ｋ７２０３）が５００〜３０００ＭＰａの硬質樹脂が挙げられる。
硬質樹脂としては、例えば、ポリシクロへキシレンジメチレンテレフタレート（ＰＣＴ）、ポリエチレンテレフタレート（ＰＥＴ）、ポリスチレン（ＰＳ）、アクリロニトリル・ブタジエン・スチレン樹脂（ＡＢＳ）、ポリカーボネート（ＰＣ）、アクリロニトリル・スチレン共重合樹脂（ＡＳ）、ポリアリレート等が挙げられる。これら硬質樹脂は、１種単独で用いられてもよいし、２種以上が組み合わされて用いられてもよい。
【００１８】
毛束１６における植毛面１５から先端までの高さ（以下、常態毛丈ということがある）Ｈ１は、特に限定されず、例えば、６〜１３ｍｍとされる。全ての毛束１６の常態毛丈Ｈ１が同じであってもよいし、毛束１６毎に常態毛丈Ｈ１が異なっていてもよい。
【００１９】
植毛面１５における毛束１６の太さ（毛束径）Ｒ１は、特に限定されず、例えば、１〜３ｍｍとされる。全ての毛束１６の毛束径Ｒ１が同じであってもよいし、毛束１６毎に毛束径Ｒ１が異なっていてもよい。
【００２０】
毛束１６を構成する用毛の材質としては、例えば、６−１２ナイロン、６−１０ナイロン等のポリアミド、ＰＥＴ、ポリブチレンテレフタレート（ＰＢＴ）、ポリトリメチレンテレフタレート（ＰＴＴ）、ポリエチレンナフタレート（ＰＥＮ）、ポリブチレンナフタレート（ＰＢＮ）等のポリエステル、ＰＰ等のポリオレフィン、オレフィン系エラストマー、スチレン系エラストマー等（エラストマー）の樹脂等が挙げられる。歯ブラシ１に用いられる用毛は、全てが同じ材質であってもよいし、２種以上の異なる材質の用毛が混在していてもよい。
【００２１】
用毛の形態としては、毛先に向かって漸次その径が小さくなる用毛（テーパー毛）、毛先の丸め部を除いて外径がほぼ同一である用毛（ストレート毛）、テーパー毛又はストレート毛の毛先が分岐した分岐毛等が挙げられる。歯ブラシ１に用いられる用毛は、全てが同じ形態であってもよいし、２種以上の異なる形態の用毛が混在していてもよい。
【００２２】
用毛の太さは、用毛の材質等を勘案して適宜決定され、例えば、横断面が円形の場合、例えば、６〜９ｍｉｌ（１ｍｉｌ＝１／１０００ｉｎｃｈ＝０．０２５ｍｍ）とされる。また、使用感、刷掃感、清掃効果、耐久性等を考慮して、太さの異なる複数本の用毛を任意に組み合わせて用いてもよい。
【００２３】
歯ブラシ１の製造方法は、従来公知の方法を用いることができる。例えば、植毛面に植毛穴が形成されたハンドル体を射出成形により得、二つ折りにした用毛の間に平線を挟み込み、この平線を植毛穴に打ち込むことにより毛束を植設する平線式植毛や、毛束の下端を植毛部となる溶融樹脂中へ圧入して固定する熱融着法、毛束の下端を加熱して溶融塊を形成した後に、金型中に溶融樹脂を注入して植毛部を成形するインモールド法等が挙げられる。
【００２４】
本実施形態において毛腰調節部材２０は、軟質樹脂が射出成形等によって成形されたものである。
軟質樹脂としては、成形後に伸縮するものであればよく、例えば、エラストマー（例えば、オレフィン系エラストマー、スチレン系エラストマー、ポリエステル系エラストマー、ポリウレタン系熱可塑性エラストマー等）、シリコーンが挙げられる。
また、軟質樹脂には、必要に応じて、接着変性剤や可塑剤等が含まれてもよい。
軟質樹脂のショア硬度Ａは、９０以下が好ましく、５０〜８０がより好ましい。上記上限値超では、毛腰調節部材２０を植毛面１５に装着しにくく、上記下限値未満では、毛腰調節部材２０が柔らかくなりすぎて、毛腰調節部材付き歯ブラシ１の毛腰硬さを適切に調節できないおそれがある。
【００２５】
貫通孔２４の開口径ｒ１は、毛束１６の毛束径Ｒ１に応じて適宜決定され、毛腰調節部材２０が植毛面１５に装着された際に、毛束１６が貫通する大きさであればよい。開口径ｒ１は、毛腰調節部材２０が植毛面１５に装着された際に、貫通孔２４の開口面の周縁２５が毛束１６の側面に接する（即ち、開口径ｒ１が毛束径Ｒ１と同等、又は開口径ｒ１が毛束径Ｒ１よりも小さい）大きさであってもよいし、貫通孔２４の開口面の周縁２５が毛束１６の側面に接しない（即ち、開口径ｒ１が毛束径Ｒ１よりも大きい）大きさであってもよい。中でも、毛腰調節部材付き歯ブラシ１の毛腰硬さをより適切に調節する観点から、開口径ｒ１は、毛腰調節部材２０を植毛面１５に装着した際に、周縁２５が毛束１６の側面に接する大きさが好ましい。
なお、開口径ｒ１を毛束１６の側面に接しない大きさとする場合、ｒ１−Ｒ１で表されるクリアランスは０．１ｍｍ以下が好ましい。上記上限値超では、毛腰調節部材付き歯ブラシ１の毛腰硬さを適切に調節できないおそれがある。毛腰調節部材２０の材質が、脱着の際に、用毛を傷つけないような硬度の樹脂であれば、開口径ｒ１は、毛束径Ｒ１より小さくてもよい。
【００２６】
天壁部２２の厚さＴ１は、毛腰調節部材付き歯ブラシ１に求める毛腰硬さや常態毛丈Ｈ１を勘案して決定され、例えば、０．１ｍｍ以上とされる。上記下限値未満では、毛腰調節部材２０を植毛面１５に装着した効果を得られにくいためである。
厚さＴ１が厚いほど、天壁部２２の表面２３から毛束１６の先端までの高さ（以下、調節後毛丈ということがある）Ｈ２が短くなって毛腰が硬くなる。厚さＴ１が薄いほど、調節後毛丈Ｈ２が長くなって、毛腰調節部材付き歯ブラシ１の毛腰を硬くする効果が低くなる。即ち、厚さＴ１を変えることで、調節後毛丈Ｈ２を変えて毛腰調節部材付き歯ブラシ１の毛腰硬さを調節できる。
【００２７】
次に、本実施形態の毛腰調節部材２０の装着方法について、図１を用いて説明する。
開口部２１をヘッド部１４の先端に当て、次いで、スリット部３２を広げつつ、ヘッド部１４の先端が開口部２１から挿入されるように、毛腰調節部材２０をＸ方向に操作する。毛腰調節部材２０をＸ方向に操作すると、天壁部２２が植毛面１５上をスライドされ、毛束１６は、広げられたスリット部３２内を相対的に移動し、列方向に並んだ毛束１６が順じ貫通孔２４内に収められ、ヘッド部１４が毛腰調節部材２０内に挿入される。この際、毛腰調節部材２０は、軟質樹脂で構成されているため、変形しつつ行方向に並ぶ毛束１６同士の間を通ることができる。
全ての毛束１６が、所定の貫通孔２４内に収まると、スリット部３２が閉じる。スリット部３２が閉じると、図１に示すように、毛束１６が貫通孔２４を貫通した状態となる。
【００２８】
本実施形態の毛腰調節部材２０によれば、植毛面１５に着脱自在とされているため、天壁部２２の厚さＴ１の異なる毛腰調節部材２０を選択することで調節後毛丈Ｈ２を変えて、毛腰調節部材付き歯ブラシ１の毛腰硬さを調節できる。このため、複数種の歯ブラシを使い分けることなく、清掃対象部位や口腔内の状態に合わせて毛腰調節部材２０を変えるだけで、口腔内を適切に清掃できる。
【００２９】
（第二の実施形態）
本発明の第二の実施形態にかかる毛腰調節部材付き歯ブラシについて、図３〜４を用いて説明する。第一の実施形態と同じ構成には同じ符号を付してその説明を省略すると共に、主に第一の実施形態と異なる点について説明する。
図３の毛腰調節部材付き歯ブラシ１００は、歯ブラシ１１０と、毛腰調節部材１２０とを備えるものである。
【００３０】
図３（ｂ）、（ｃ）に示すように、ヘッド部１１４の背面には、Ｘ方向に伸びる凹条１１８が形成されている。凹条１１８は、植毛面１５に向かい漸次拡幅するものとされ、Ｘ方向に直交する断面が台形とされている。
【００３１】
図３〜４に示すように、毛腰調節部材１２０は、貫通孔２４及びスリット部３２が形成された天壁部１２２と、凹条１１８の形状に対応した形状の凸条１２８と、ヘッド部１１４の先端を覆い天壁部１２２と凸条１２８とに接続された先端壁部１２６とを備えるものである。
天壁部１２２の厚さは、天壁部２２の厚さＴ１と同様である。
【００３２】
本実施形態の毛腰調節部材付き歯ブラシ１００によれば、毛腰調節部材１２０がＸ方向に操作されて植毛面１５に装着された際に凹条１１８と凸条１２８とが嵌合するため、口腔内の清掃時に毛腰調節部材１２０がヘッド部１１４から外れたりずれたりしにくい。
【００３３】
（第三の実施形態）
本発明の第三の実施形態にかかる毛腰調節部材付き歯ブラシについて、図５を用いて説明する。第一及び第二の実施形態と同じ構成には同じ符号を付してその説明を省略すると共に、主に第一及び第二の実施形態と異なる点について説明する。
図５の毛腰調節部材付き歯ブラシ２００は、歯ブラシ１０と、毛腰調節部材２２０とを備えるものである。
【００３４】
毛腰調節部材２２０は、植毛面１５上に装着される板状のものであり、植毛面１５に装着された際に、毛束１６が貫通する貫通孔２２４が形成されたものである。
貫通孔２２４は、開口面から植毛面１５に向かい漸次拡径するものとされている。
毛腰調節部材２２０の厚さは、天壁部２２の厚さＴ１と同様である。
【００３５】
本実施形態の毛腰調節部材２２０の使用方法について、図５（ｂ）を参照して説明する。
毛腰調節部材２２１を毛束１６の先端側から植毛面１５に近づけるようにして、各々の毛束１６をこれに対応する位置の貫通孔２２４に挿入させる。この際、貫通孔２２４が開口面から植毛面１５に向かい漸次拡径しているため、毛束１６を貫通孔２２４に挿入させやすい。さらに毛腰調節部材２２１を植毛面１５に当接させるように操作して、毛腰調節部材２２０を植毛面１５上に装着する。
【００３６】
（その他の実施形態）
本発明は、上述の実施形態に限定されるものではない。
第一〜第三の実施形態の毛腰調節部材は、全ての毛束の毛丈を短くするものであるが、本発明は、これに限定されず、一部の毛束の毛丈を短くするものであってもよい。
【００３７】
例えば、図６の毛腰調節部材付き歯ブラシ３００に用いられる毛腰調節部材３２０のように、中央の列を構成する毛束１６の毛丈を短くするものであってもよい。図６〜７に示すように、毛腰調節部材３２０は、中央の列を構成する毛束１６が植設された領域を覆い、中央の列を挟んで形成された他の列を構成する毛束１６が植設された領域を覆わない天壁部３２２と、凸条１２８と、ヘッド部１１４の先端に位置し天壁部３２２と凸条１２８とに接続された先端壁部３２６とを備えるものである。
毛腰調節部材３２０によれば、中央の列の毛束１６の毛腰のみを硬くできる。
【００３８】
また、例えば、図８の毛腰調節部材付き歯ブラシ４００に用いられる毛腰調節部材４２０のように、ヘッド部１１４の先端側の３行の毛束１６の毛丈を短くするものであってもよい。図８〜９に示すように、毛腰調節部材４２０は、ヘッド部１１４の先端側の３行を構成する毛束１６が植設された領域を覆い、ヘッド部１１４の基端側（即ち、ハンドル部１２側）の３行を構成する毛束１６が植設された領域を覆わない天壁部４２２と、凸条４２８と、ヘッド部１１４の先端に位置し天壁部４２２と凸条４２８とに接続された先端壁部４２６とを備えるものである。凸条４２８の断面は、凹条１１８の断面と対応する形状とされ、その長さは、天壁部４２２の長さと同等である。
毛腰調節部材４２０によれば、ヘッド部１１４の先端側の３列を構成する毛束１６の毛腰のみを硬くできる。
【００３９】
第一〜第三の実施形態では、毛束が碁盤目状に配置されているが、本発明はこれに限定されず、毛束が千鳥状に配置されていてもよい。
第一〜第三の実施形態では、毛束が６行３列で配置されている。しかしながら、本発明はこれに限定されず、５行以下であってもよいし、７行以上であってもよい。また、２列以下であってもよいし、４列以上であってもよい。
【００４０】
第一〜第三の実施形態では、ヘッド部が平面視長方形とされているが、本発明は、これに限定されず、ヘッド部の形状がいかなるものであってもよい。
【００４１】
第一〜第三の実施形態では、毛腰調節部材に毛束の断面形状と略相似形の貫通孔が形成されているが、本発明はこれに限定されない。例えば、図１０に示す毛腰調節部材付き歯ブラシ５００に装着された毛腰調節部材５２０のように、天壁部５２２にスライド方向を長手とする貫通孔５２４が形成されたものであってもよい。毛腰調節部材５２０を装着することで、毛腰調節部材付き歯ブラシ５００は、Ｘ方向に往復動された際には、毛束１６は常態毛丈のまま機能し、ヘッド部１４の幅方向に往復動された際には、毛束１６は調節後毛丈のものとして機能する。
あるいは、毛腰調節部材は、列方向に並ぶ毛束同士の間又は行方向に並ぶ毛束同士の間に着脱自在に装着され、貫通孔が形成されていない板状体であってもよい。
【００４２】
第一〜第二の実施形態では、毛腰調節部材をヘッド部の長さ方向にスライドさせて植毛面に装着しているが、本発明はこれに限定されず、ヘッド部の幅方向に伸びるスリット部を形成し、ヘッド部の幅方向にスライドさせて植毛面に装着してもよい。
【００４３】
第一の実施形態では、毛腰調節部材が底壁部と側壁部と先端壁部とを備えているが、本発明はこれに限定されず、毛腰調節部材が底壁部、側壁部及び先端壁部の全て又はいずれかを備えていなくてもよい。
【００４４】
第二の実施形態では、ヘッド部の背面に凹条が形成されているが、本発明はこれに限定されず、凹条がヘッド部の側面、植毛面に形成されていてもよい。
【００４５】
第二の実施形態では、凹条が植毛面に向かい漸次拡幅するものとされ、凸条が凹条に対応する形状とされているが、本発明はこれに限定されず、凹条が植毛面に向かい漸次縮幅する形状で、凸条がこれに対応する形状であってもよい。
【００４６】
第二の実施形態では、凹条及び凸条の断面が台形とされているが、本発明は、これに限定されず、凹条と凸条とは互いに嵌合できればよく、例えば、これらの断面が、台形以外の多角形であってもよいし、欠円形等であってもよい。
【００４７】
第二の実施形態では、ヘッド部に凹条が形成され、毛腰調節部材に凸条が形成されているが、本発明は、ヘッド部と毛腰調節部材とに互いに嵌合する部材が形成されていればよく、ヘッド部に凸条が形成され、毛腰調節部材に凹条が形成されていてもよい。
【００４８】
第三の実施形態では、貫通孔が植毛面に向かい漸次拡径するものとされているが、本発明はこれに限定されず、例えば、貫通孔が植毛面に向かい漸次縮径するものであってもよいし、開口面から植毛面にかけて同一径のものであってもよい。ただし、毛腰調節部材をより容易に植毛面に装着する観点からは、貫通孔は開口面から植毛面に向かい漸次拡径するものが好ましい。
【００４９】
第三の実施形態では、毛腰調節部材が軟質樹脂で構成されているが、本発明は、これに限定されず、第三の実施形態において、毛腰調節部材が硬質樹脂で構成されていてもよい。
【符号の説明】
【００５０】
１、１００、２００、３００、４００、５００    毛腰調節部材付き歯ブラシ
１０、１１０    歯ブラシ
１４    ヘッド部
１５    植毛面
１６    毛束
２０、１２０、２２０、３２０、４２０、５２０    毛腰調節部材
２４、２２４、５２４    貫通孔
２５    周縁
３２    スリット部
１１８    凹条
１２８、４２８    凸条
【図１】
2013202341.tif 000003
【図２】
2013202341.tif 000004
【図３】
2013202341.tif 000005
【図４】
2013202341.tif 000006
【図５】
2013202341.tif 000007
【図６】
2013202341.tif 000008
【図７】
2013202341.tif 000009
【図８】
2013202341.tif 000010
【図９】
2013202341.tif 000011
【図１０】
2013202341.tif 000012